(57)【特許請求の範囲】
【請求項１】
ディジタル光学的イメージを取り込む装置であって、
ハウジングと、
前記ハウジング内に設けられ、光学的イメージを感知するディジタル光学的センサと、
前記ディジタル光学的センサによって取り込まれたディジタル光学的イメージを記憶する記憶媒体と、
音声を感知する音声センサと、
前記音声センサにより感知された音声を音素のシンボル表現を含む中間的シンボリック・フォームに変換する音声変換手段と、
前記中間的シンボリック・フォームを前記取り込まれたディジタル光学的イメージと関連付けて前記記憶媒体に記憶させるコントローラであって、
（ａ）  複数の個別の時間範囲のそれぞれにおいて前記音声センサによって感知された音声に係る音声セグメントを記録し、
（ｂ）  前記音声変換手段を、前記音声セグメントが、対応する前記中間的シンボリック・フォームに係るシンボリック・テキスト・セグメントに変換されるように動作させ、
（ｃ）  前記関連付けは、前記ディジタル光学的イメージと、前記シンボリック・テキスト・セグメントとを関連付けるものであり、前記シンボリック・テキスト・セグメントに対応する前記音声セグメントの記録がされた前記時間範囲と前記ディジタル光学的イメージの取り込みがされた時間との間の時間的関係に基づいて、
（１）  第１のディジタル光学的イメージが、前記シンボリック・テキスト・セグメントに対応する音声セグメントの前記記録が行われる間に取り込みがされた場合は、前記シンボリック・テキスト・セグメントを前記第１のディジタル光学的イメージに関連付けること、
（２）  前記装置に電源が投入されてから、前記シンボリック・テキスト・セグメントに対応する前記音声セグメントの前記記録が終了するまでの間に、いかなるディジタル光学的イメージも取り込みされず、かつ、前記シンボリック・テキスト・セグメントに対応する前記音声セグメントの前記記録の終了後、前記装置への電源が解除されるより前に、第２のディジタル光学的イメージが取り込みされた場合は、前記シンボリック・テキスト・セグメントを前記第２のディジタル光学的イメージに関連付けること、
（３）  それ以外の場合は、前記シンボリック・テキスト・セグメントを、前記シンボリック・テキスト・セグメントに対応する前記音声セグメントの前記記録の開始前に最後に取り込みされたディジタル光学的イメージに関連付けること、
の３つの関連付け優先度基準の全てに従って自動的に行われることを特徴とする、前記コントローラと、
を含む装置。
【請求項２】
前記コントローラが前記装置の動作を制御するためのコントロール・プログラムを実行するプログラム可能プロセッサを含む、請求項１記載の装置。
【請求項３】
前記音声変換手段は、前記プログラム可能プロセッサが実行可能な複数の命令であって、組み込み音声変換アルゴリズムである命令により実現される、請求項２記載の装置。
【請求項４】
前記中間的シンボリック・フォームが前記装置とは別の装置によって自然言語テキストに変換される、
請求項１記載の装置。
【請求項５】
ディジタル光学的イメージを取り込む装置を制御する方法であって、
前記装置の光学的センサによって対象物のディジタル光学的イメージを取り込むステップと、
前記装置の音声センサによって音声を取り込むステップであって、複数の個別の時間範囲のそれぞれにおいて前記音声センサによって感知された音声に係る音声セグメントを記録するものである、ステップと、
前記装置の音声変換手段によって前記音声を音素のシンボル表現を含む中間的シンボリック・フォームに変換するステップであって、前記音声セグメントを、対応する前記中間的シンボリック・フォームに係るシンボリック・テキスト・セグメントに変換するものである、ステップと、
前記中間的シンボリック・フォームを前記取り込まれたディジタル光学的イメージと関連付けて記憶するステップであって、前記関連付けは、前記ディジタル光学的イメージと、前記シンボリック・テキスト・セグメントとを関連付けるものであり、前記シンボリック・テキスト・セグメントに対応する前記音声セグメントの記録がされた前記時間範囲と前記ディジタル光学的イメージの取り込みがされた時間との間の時間的関係に基づいて、
（１）  第１のディジタル光学的イメージが、前記シンボリック・テキスト・セグメントに対応する音声セグメントの前記記録が行われる間に取り込みがされた場合は、前記シンボリック・テキスト・セグメントを前記第１のディジタル光学的イメージに関連付けること、
（２）  前記装置に電源が投入されてから、前記シンボリック・テキスト・セグメントに対応する前記音声セグメントの前記記録が終了するまでの間に、いかなるディジタル光学的イメージも取り込みされず、かつ、前記シンボリック・テキスト・セグメントに対応する前記音声セグメントの前記記録の終了後、前記装置への電源が解除されるより前に、第２のディジタル光学的イメージが取り込みされた場合は、前記シンボリック・テキスト・セグメントを前記第２のディジタル光学的イメージに関連付けること、
（３）  それ以外の場合は、前記シンボリック・テキスト・セグメントを、前記シンボリック・テキスト・セグメントに対応する前記音声セグメントの前記記録の開始前に最後に取り込みされたディジタル光学的イメージに関連付けること、
の３つの関連付け優先度基準の全てに従って自動的に行われることを特徴とする、ステップと
を含み、
前記音声を取り込むステップは、前記ディジタル光学的イメージを取り込むステップと実質的に同時に実行される、方法。
【請求項６】
前記中間的シンボリック・フォームは、前記装置とは別の装置によって自然言語テキストに変換される、請求項５記載の方法。
【請求項７】
前記音声をシンボリック・フォームに変換するステップは、プログラム可能プロセッサが音声変換プログラムを実行することにより実現される、請求項５記載の方法。
【請求項８】
前記プログラム可能プロセッサは、前記装置の動作を制御するためのコントロール・プログラムを実行し、
前記音声を中間的シンボリック・フォームに変換するステップは、前記コントロール・プログラムが他のタスクに占有されていない時に前記プログラム可能プロセッサによってバックグラウンドで実行される、
請求項７記載の方法。
【請求項９】
ディジタル光学的イメージを取り込む装置を制御するプログラムであって、前記装置に、
前記装置の光学的センサによって対象物のディジタル光学的イメージを取り込むステップ、
前記装置の音声センサによって音声を取り込むステップであって、複数の個別の時間範囲のそれぞれにおいて前記音声センサによって感知された音声に係る音声セグメントを取り込むものである、ステップと、
前記装置の音声変換手段によって前記音声を音素のシンボル表現を含む中間的シンボリック・フォームに変換するステップであって、前記音声セグメントを、対応する前記中間的シンボリック・フォームに係るシンボリック・テキスト・セグメントに変換するものである、ステップと、
前記中間的シンボリック・フォームを前記取り込まれたディジタル光学的イメージと関連付けて記憶するステップであって、前記関連付けは、前記ディジタル光学的イメージと、前記シンボリック・テキスト・セグメントとを関連付けるものであり、前記シンボリック・テキスト・セグメントに対応する前記音声セグメントの記録がされた前記時間範囲と前記ディジタル光学的イメージの取り込みがされた時間との間の時間的関係に基づいて、
（１）  第１のディジタル光学的イメージが、前記シンボリック・テキスト・セグメントに対応する音声セグメントの前記記録が行われる間に取り込みがされた場合は、前記シンボリック・テキスト・セグメントを前記第１のディジタル光学的イメージに関連付けること、
（２）  前記装置に電源が投入されてから、前記シンボリック・テキスト・セグメントに対応する前記音声セグメントの前記記録が終了するまでの間に、いかなるディジタル光学的イメージも取り込みされず、かつ、前記シンボリック・テキスト・セグメントに対応する前記音声セグメントの前記記録の終了後、前記装置への電源が解除されるより前に、第２のディジタル光学的イメージが取り込みされた場合は、前記シンボリック・テキスト・セグメントを前記第２のディジタル光学的イメージに関連付けること、
（３）  それ以外の場合は、前記シンボリック・テキスト・セグメントを、前記シンボリック・テキスト・セグメントに対応する前記音声セグメントの前記記録の開始前に最後に取り込みされたディジタル光学的イメージに関連付けること、
の３つの関連付け優先度基準の全てに従って自動的に行われることを特徴とする、ステップと
を実行させ、
前記音声を取り込むステップは、前記ディジタル光学的イメージを取り込むステップと実質的に同時に実行される、
プログラム。
【請求項１０】
前記中間的シンボリック・フォームが前記装置とは別の装置によって自然言語テキストに変換される、
請求項９記載のプログラム。
【請求項１１】
ディジタル光学的イメージが含まれる情報をレコーディングする方法であって、
ディジタル光学的イメージを取り込む装置の光学的センサによって対象物の少なくとも１つのディジタル光学的イメージを取り込むステップと、
前記少なくとも１つのディジタル光学的イメージそれぞれに対応する少なくとも１つの音声セグメントを取り込むステップであって、複数の個別の時間範囲のそれぞれにおいて前記音声センサによって感知された音声に係る音声セグメントを記録するものである、ステップと、
前記ディジタル光学的イメージを取り込む装置の音声変換手段によって前記音声セグメントを少なくとも１つの対応する、音素のシンボル表現を含む中間的シンボリック・フォームに係るシンボリック・テキスト・セグメントに変換するステップと、
前記少なくとも１つのディジタル光学的イメージと前記少なくとも１つの対応するシンボリック・テキスト・セグメントを、ディジタル・イメージ・フォーマット装置にアップロードするステップと、
前記ディジタル・イメージ・フォーマット装置によって、前記少なくとも１つのディジタル光学的イメージ及び対応する前記シンボリック・テキスト・セグメントをユーザによる目視のためにフォーマットするステップを含み、
前記音声セグメントを取り込むステップは、前記ディジタル光学的イメージを取り込むステップと実質的に同時に実行され、
前記シンボリック・テキスト・セグメントそれぞれが、対応するディジタル光学的イメージと関連付けられ、前記関連付けは、前記シンボリック・テキスト・セグメントに対応する前記音声セグメントの記録がされた前記時間範囲と前記ディジタル光学的イメージの取り込みがされた時間との間の時間的関係に基づいて、
（１）  第１のディジタル光学的イメージが、前記シンボリック・テキスト・セグメントに対応する音声セグメントの前記記録が行われる間に取り込みがされた場合は、前記シンボリック・テキスト・セグメントを前記第１のディジタル光学的イメージに関連付けること、
（２）  前記装置に電源が投入されてから、前記シンボリック・テキスト・セグメントに対応する前記音声セグメントの前記記録が終了するまでの間に、いかなるディジタル光学的イメージも取り込みされず、かつ、前記シンボリック・テキスト・セグメントに対応する前記音声セグメントの前記記録の終了後、前記装置への電源が解除されるより前に、第２のディジタル光学的イメージが取り込みされた場合は、前記シンボリック・テキスト・セグメントを前記第２のディジタル光学的イメージに関連付けること、
（３）  それ以外の場合は、前記シンボリック・テキスト・セグメントを、前記シンボリック・テキスト・セグメントに対応する前記音声セグメントの前記記録の開始前に最後に取り込みされたディジタル光学的イメージに関連付けること、
の３つの関連付け優先度基準の全てに従って自動的に行われ、人間に読み取り可能な形式で表示するためにフォーマットされることを特徴とする、
方法。
【請求項１２】
前記フォーマットするステップにおいて、前記中間的シンボリック・フォームが自然言語テキストに変換される、
請求項１１記載の方法。
【請求項１３】
前記ディジタル・イメージ・フォーマット装置は、ディジタル・イメージ・フォーマット・プログラムを実行する汎用ディジタル・コンピュータである、請求項１１記載の方法。
【請求項１４】
前記フォーマットするステップは、フォーマットされたテキストを対応するディジタル光学的イメージとともに用紙上に印刷するステップを含む、請求項１１記載の方法。
【請求項１５】
前記フォーマットするステップは、フォーマットされたテキストを対応するディジタル光学的イメージとともにディジタル装置の出力スクリーンに表示するステップを含む、請求項１１記載の方法。
【発明の詳細な説明】
【０００１】
【発明の属する技術分野】
本発明は、ディジタル・データ装置に関し、詳しく云えば、ディジタル・カメラ、モーション・ビデオ、その他の光学的イメージをディジタル的に取り込む装置に関する。
【０００２】
【従来の技術】
二十世紀の後半は情報革命として知られている現象を証拠立てるものであった。情報革命は如何なる事象又は機械よりも広い範囲における歴史的な展開であるけれども、単一の装置でディジタル・エレクトロニック・コンピュータ以上に情報革命を表すものは現れなかった。コンピュータ・システムの発展は確かに１つの革命であった。毎年、コンピュータ・システムはより高速化し、データをより多く記憶し、ユーザにより多くのアプリケーションを提供している。
【０００３】
現代のディジタル・テクノロジは価格の低下及び機能の拡張により、絶えず増大する種々のアプリケーションにおいて使用されてきた。これらのアプリケーションの１つが光学的イメージの取り込みであった。一般に、光学的画像処理テクノロジは、規則的に配列された多数の感光性素子及びそれらの素子の出力をスキャンしてそこからディジタル・イメージを構成する電荷結合素子（ＣＣＤ）のようなディジタル・センサ・アレイを使用する。ディジタル・イメージは、適当なディジタル・データ記憶媒体に記憶されたり、ディジタル・ディスプレイ装置上に表示されたり、用紙又は他の媒体上に印刷されたり、編集ツールを使用して操作されたり、或いはディジタル・データに適した任意の通信媒体を使用して遠隔地に送信されたりすることが可能である。
【０００４】
光学的画像処理は、ファクシミリ、スキャナ、バーコード・リーダ等を含む種々の環境において使用されてきた。とりわけ、ディジタル光学的画像処理は、高解像度の静止画カメラ及び映画カメラにおける古いフィルム・ベースの媒体に対する代替物としても使用されている。実際、ディジタル光学テクノロジは画質の改善、価格の低下をもたらし、これらの分野における古いフィルム・ベースの媒体に完全に取って代わる日を多くの人が予見している。
【０００５】
ディジタル・カメラは、一般に、静止ビデオであろうと或いはモーション・ビデオであろうと、種々の機能を実現するようにプログラム可能なオンボード・プロセッサを内蔵している。そのプロセッサはディジタル・イメージに補助的情報を組み込むようにプログラム可能である。例えば、イメージが取り込まれた日付及び時間を組み込むことが知られている。カメラ内にオンボード・ディジタル・クロックを保持することによって、日付及び時間が容易に設定される。そのような補助的情報を組み込むことは、ひとたびそれが得られれば特に難しいことではない。
【０００６】
【発明が解決しようとする課題】
従来の通常のディジタル・カメラは、単純な光学的スキャニング及びレコーディング以外のディジタル・テクノロジの使用を排除して、それらの機械的装置に対応する装置の機能を単にまねようとしてきた。そのようなアプローチでは、ディジタル・テクノロジと未だ考えられてないディジタル・カメラの向上した機能との改良された統合という情報化時代の果てしない可能性を想起することはできない。とりわけ、後でディジタル・イメージに組み込むことができる情報、或いは、ディジタル・イメージと関連付けることができる情報を得る可能性を想起することができない。
【０００７】
【課題を解決するための手段】
本発明の一実施形態のディジタル・カメラのユーザ（撮影者）は、イメージがディジタル・カメラにより取り込まれた時間に近い時間に説明を口述することによって、その取り込まれたイメージに説明を加える。その口述された情報はユーザの音声を認識することによってテキストに変換され、そのディジタル・イメージと関連付けられる。
【０００８】
望ましい実施例では、ディジタル・カメラは、ユーザによって口述された補助的情報を認識し、変換する音声認識機能を有する。この機能は、汎用ディジタル・プロセッサにおいて実行される音声認識ソフトウエアの形式のものであることが望ましい。なお、そのプロセッサは、カメラを操作するための種々の制御機能を実現するためにも使用される。音声は、リアルタイムで記号形式のデータに変換される必要はない。音声はマイクロフォンを使用して感知され、ディジタル・サンプルに変換され、そして記憶装置に一時的に記憶される。しかる後、プロセッサは、それが他のカメラ・タスクを行っていない時、その記憶された音声サンプルを記号形式にバックグラウンドで変換する。一旦音声サンプルが記号形式に変換されてしまうと、その音声サンプルのために使用された記憶領域は再使用可能になる。その少量の記号形式のデータを記憶するために必要な記憶装置は音声又は光学的イメージのための記憶装置に比べて相対的に小さい。
【０００９】
生成された記号形式データは自然言語テキストであってもよいが、ユーザの音声を一連のベーシック・サウンド、即ち、音素として表す中間的記号形式であることが望ましい。そうすれば、その後、コンピュータ・システムが複雑な語彙リスト及びシンタックス分析を行うことによって自然言語テキストに変換可能となる。
【００１０】
撮影者によって口述された説明はフリー・フォーマットのキャプションであることが望ましい。即ち、その口述された説明のフォーマットに関しては、それが１つの認識された人間の言語であること以外に何の制限もない。また別の方法として、例えば、指定された情報に対して可聴メッセージ又は可視メッセージでもってユーザにプロンプト指示することによって、ユーザが或るメッセージを所定の順序で口述することを要求することも可能であろう。例えば、カメラは、タイトル、撮影者名、場所等をユーザにプロンプト指示してもよい。それらの情報はフリー・フォーマットの説明を後続させてもよいし、後続させなくてもよい。ユーザによって口述された情報は、日付、時間、カメラ設定情報のようなカメラのプロセッサにとって利用可能な情報によって補足されることも可能である。
【００１１】
本願において開示される方法及び装置は、レコードされたディジタル・イメージを補う拡張レコードであって、ユーザにより容易に生成されるレコードを提供する。
【００１２】
本発明の構造及び動作に関する本発明の詳細は、添付図面を参照することにより最善の理解を可能にするであろう。なお、添付図面においては同じ参照番号は同じ部品を表している。
【００１３】
【発明の実施の形態】
図１は、望ましい実施例によるディジタル・カメラの高レベル断面図である。カメラ１００はボディ又はハウジング１０１、レンズ１０２、及び光学的センサ・アレイ１０３を含む。図１には、撮影されるべき対象物（関心のある対象物）をユーザが見ることを可能にするための透視チャネル１０６が示される。それは一端において透明の窓を有し、光がカメラを通過することを可能にする。しかし、別の方法として、周知の一眼レフ（ＳＬＲ）機構を使用することによりレンズ１０２を通して対象物を見るようにすることも可能であり、液晶ダイオード（ＬＣＤ）ディスプレイのような小型のディスプレイを使用して、センサ１０３により感知されたディジタル・イメージを投影するようにすることも可能である。
【００１４】
カメラのボディ１０１には小型のマイクロフォン１０５が装着される。マイクロフォン１０５は、カメラのボディ１０１のエッジ、特に、カメラの底部とカメラにおけるレンズ１０２と反対側部分との交差位置に形成されるエッジの近くに装着されることが望ましい。この位置は、関心のある対象物を撮影者が撮ろうとしている時にマイクロフォン１０５を撮影者の口付近の位置に置かせ、従って、撮影者によって口述された言葉を捉える有利な位置である。マイクロフォン１０５は、撮影者の口以外の方向から来る音声を除去する指向性マイクロフォンであってもよい。
【００１５】
図１に表示された図は説明を目的とした高レベル表示を意図するものであり、カメラの全コンポーネントの詳細図を意図するものではないことは勿論である。更に、図示されたコンポーネントは、容易に理解を得るために単純化された形式で表されている。例えば、レンズ１０２は、焦点距離を調節するための可動部品を持った多素子レンズとして実装されることが多い。
【００１６】
図２は、望ましい実施例によるディジタル・カメラの主要な電子コンポーネントを示す高レベルの図である。そのカメラは、ランダム・アクセス・メモリ２０２と通信を行うプログラム可能なプロセッサ２０１を含む。メモリ２０２は、複数のプロセッサ実行可能な命令から成るコントロール・プログラム２０３を含む。それらの命令は、プロセッサ２０１上で実行される時、カメラの動作を制御する。更に、メモリ２０２は、本願において更に説明される音声認識プログラム２０４を含む。更に、カメラは、そのカメラによって捉えられたディジタル・イメージを、各セグメントがそれぞれのイメージと関連づけられる複数セグメントの記号形式データと共に記憶するためのデータ記憶装置２０７を含む。更に、カメラは、ディジタル・イメージを取り込むための光学的センサ・アレイ１０３及びすべてプロセッサ２０１の制御の下にあるそのカメラの種々のコンポーネントと通信を行うためのＩ／Ｏ装置ドライバ／コントローラ２０８を含む。更に、カメラは、マイクロフォンが受け取った音声信号をディジタル信号形式、即ち、複数の連続的なディジタル・サンプルに変換するためにマイクロフォン１０５と通信を行うアナログ・ディジタル・コンバータ（Ａ−Ｄ）２０９を含む。
【００１７】
データ記憶装置２０７は、半導体メモリ、磁気テープ、磁気ディスク、光学的メモリ等のようなディジタル・イメージを記憶するために使用される任意の適当な記憶装置であってよい。記憶媒体は取り外し可能なものであってもよく、取り外し可能でなくてものでもよい。Ｉ／Ｏ装置ドライバ／コントローラ２０８は他のカメラ・コンポーネントに対するインターフェースを提供する。これらのコンポーネントは、シャッタ、レンズ、ミラー等のようなプロセッサ２０１によって制御されるもの及びシャッタ作動ボタン、又は他のユーザ・アクセス可能なボタン及びスイッチのようなプロセッサ２０１が入力を受け取るものを含む。或る実施例に対しては、これらのコンポーネントは、イメージをユーザに表示するためのディジタル・ディスプレイ装置を含んでもよい。更に、ユーザにカメラの状態を知らせるために数字、テキスト、及びアイコンを表示するためのＬＣＤディスプレイのような小型のディスプレイが存在することが望ましい。更に、コンピュータ、テレビジョン、プリンタ等のようなカメラにとっては外部の装置にデータを送信するための少なくとも１つの外部ポートが存在することが一般には望ましい。電子コンポーネントに対する電力はバッテリ（図示されてない）によって供給される。
【００１８】
メモリ２０２は、不揮発性メモリを含むことが望ましい。不揮発性メモリにおけるデータは、バッテリの故障、交換、又は別の事故のためにメモリが電力を受けない場合でも失われることはない。コントロール・プログラム２０３及び音声認識プログラム２０４はメモリのこの部分に記憶されることが望ましい。更に、メモリ２０２は、一時的な値、カウンタ等を記憶するための又はイメージ・データをバッファするための揮発性メモリを含むことも望ましい。音声バッファ２０５はメモリの揮発性メモリの部分に含まれる。音声バッファ２０５は、音声認識プログラム２０４による記号形式への変換が保留されているディジタル音声（音声信号のディジタル・サンプル）を一時的に記憶する。音声バッファは一時的なニーズに適応するように可変サイズのものであってよい。更に、記憶装置２０７の機能によっては、まさに分析されつつある非常にわずかな数のサンプルだけがメモリ２０２においてバッファされるように、記憶装置２０７にはディジタル化された音声サンプルがバッファされるようにしてもよい。
【００１９】
自動音声認識の分野では明らかであるように、口述された言葉から自然言語を作り出すプロセスは一般に多数のステップを伴う。人間の声として発せられた音声信号は、先ず、ディジタル・サンプルに変換され、周波数パターンを分析される。これらを音素と呼ばれる人間の音声の基本サウンド・ユニットに対応させる試みが行われる。人間は或るワード又はサウンドを不明瞭に発音することがあり、異なる話者間のみならずひとりの話者によって同じワードが発声された場合でも音声パターンが変化するために、この分析は話者の意図した音素を完全な精度で認識することができない。自動音声認識システムにとって母音は子音よりも認識することが容易であるという傾向はあるが、いずれも誤りを生じ得るものである。一般的には、その分析は話者の意図した音素に関して推測を生じる。そして、それはその推測が正しいという確率と関連するであろう。代表的な音声認識システムは、音素の連続を辞書にある既知のワードと対応させようとするであろう。その場合、必ずしもすべての場合に最高の確率を持つ音素が選択されるわけではないであろう。高い確率の音素が認識可能なワードと対応しない場合、低い確率を持った音素が選択されることがある。この場合でも、システムはワードを推測できるだけであり、従って、多くの別のワード公式化による各ワードと違った確率を関連づけるであろう。結局、非常に複雑な音声認識プログラムが、センテンス全体のシンタックスを更に分析するために１ステップずつ分析を行い、従って、複数の可能性の中から最も妥当なワードの組み合わせを選択するだろう。
【００２０】
音声認識プログラム２０４はとりうる種々の形式のうちの任意の形式を取ることができる。それは、上述の全てのステップを実行して音声入力を自然言語テキストのストリームに変換するための全機能を備えた音声認識プログラムであってもよい。しかし、そのようなプログラムが大量のメモリを消費し、カメラのコストを増加させることがあることは明らかであろう。従って、音声認識プログラム２０４は全機能を備えた音声認識プログラムの一部分だけであることが更に望ましい。具体的にいえば、プログラム２０４は、語彙又はシンタックス分析を行うことなく、音声サンプルを処理して人間の音声の一部分に対応する一連の基本サウンド、即ち、音素の記号形式にするフロント・エンドであってもよい。この記号形式は、どの音素が話者によって意図されたかということをシステムが断定できない場合に別の音素と関連づけられる確率係数を含み得る。この記号形式は、大型の辞書へのアクセス及び複雑なシンタックス分析を有するコンピュータ・システムによって、後で自然言語テキストに変換されることを意図されている。そのようなコンピュータ・システムは音声認識をリアル・タイムで行う必要がないことは注目される。更に、そのようなオフライン分析のもう１つの利点は、カメラにおける音声認識フロント・エンドが多言語のものであり、単に音声から音素を生成し、その後、それらの音素がユーザの自然言語に特有のプログラムによってテキストに書き換えられるということであることも注目される。
【００２１】
図３は、望ましい実施例によるカメラの音声認識プログラム２０４に結びつけられたコントロール・プログラム２０３の動作を示すフローチャートである。カメラは、最初、アイドル状態３０１にある。アイドル状態では、コントロール・プログラムは、ユーザが所定のボタンにタッチする又はレンズ・カバーを開くというようなパワー・オン指示に対するポーリングを定期的に行う（ステップ３０２）。パワー・オン指示が検出された場合、コントロール・プログラム２０３はオペレーション・ループに入り、カメラで実現される種々の機能のいずれかをユーザが指示するのを待つ。プログラムがリスニングし音声取り込み開始の指示を検出した場合（ステップ３０３）、カメラがユーザにより口述された音声をレコードし始めるべきであること及び最終的にその音声を上述のように記号形式に変換すべきであることを意味する。カメラのボディに設けられたボタン形式の電気的スイッチ（図示されてない）をユーザが押し続けることによって指示が行われることが望ましい。しかし、「リスニング開始」の指示は種々の別の方法で行われてもよい。例えば、カメラは、一連の機能ボタンが操作される時にリスニングを開始することも可能であり、或いはユーザの口から指向性マイクロフォン１０５を介して生じる音声を検出する時に自動的にリスニングを開始することも可能であり、或いはレンズ・カバーが開かれる時に自動的にリスニングを開始することも可能である。専用のボタン・スイッチの使用は、カメラに少量のコスト及び重量を追加するけれども、ユーザの混乱を少なくし、望まない音声をレコードすることを少なくするので望ましい。コントロール・プログラムがリスニング開始指示を検出する場合、それはサンプリング・タイマがリセットされ、サンプリング・タイマ割込みが可能となり、音声レコーディング・フラグがセットされる（ステップ３０４）。
【００２２】
サンプリング・タイマは、アナログ・ディジタル・コンバータ２０９からの音声サンプルの収集をトリガするために使用される。そのタイマは人間の音声に対する適切なサンプリング率にセットされる。例えば、一般には、２０ＫＨｚ乃至５０ＫＨｚのサンプリング率で十分である。タイマがタイム・アウトし、サンプリング・タイマ割込みが可能にされる時、プロセッサは、どのようなタスクを行っていても割込みを行って音声サンプルをバッファ２０５に記憶し、そのタイマをリセットし、そして前に実行していたタスクに戻る。この割込みは、図３における円３２０内の文字「Ｉ」によって表されるように、コントロール・プログラムの実行における任意の種々の時点で生じ得る。
【００２３】
コントロール・プログラムがリスニング停止の指示を検出する場合（ステップ３０５）、それはサンプリング・タイマ割込みを不能にし、音声レコーディング・フラグをクリアする（ステップ３０６）。望ましい実施例では、リスニング停止の指示は、ユーザがボタンを放すことで行われる。しかし、この指示は、前述のように、他の手段によって行われることも可能である。
【００２４】
或る他の機能がユーザによって作動されたことをコントロール・プログラムが検出する場合（ステップ３０７）、対応する機能が実行される（ステップ３０８）。そのような機能は、イメージを取り込む（スチール写真又はモーション・ビデオを撮る）ことであってもよいが、更に他の多くの事象であってもよい。或る機能は、口径、焦点等を設定するというような特定のイメージを取り込むための準備に関するものでもよく、別の機能は、日付／時間インジケータを設定する、或いは記憶装置におけるイメージの集合をアンロードするというような特定のイメージに無関係の事象に関するものであってもよい。
【００２５】
ユーザが如何なる機能もリクエストしない場合、処理はステップ３０７からＮｏの矢印方向へ進む。この場合、ユーザが電源を遮断しないならば、処理はステップ３０９からＮｏの矢印方向へ進み、コントロール・プログラムは、ユーザの音声入力から少しでも音声サンプルがバッファに記憶されているかどうかを判定する（ステップ３１０）。ステップ３１０の判定が肯定される場合、コントロール・プログラムは、サンプルの数が分析を開始するための所定の閾値よりも大きいかどうかを判定する（ステップ３１１）。ステップ３１１の判定が肯定される場合、処理はステップ３１１からＹｅｓの矢印方向へ進み、音声認識プログラム２０４が呼び出されてバッファに存在するサンプルのうちの少なくともいくつかを記号形式に変換する（ステップ３１３）。閾値が満たされず、処理がステップ３１１からＮｏの矢印方向へ進み、音声フラグがオフである場合（ステップ３１２）も、音声変換プログラムが呼び出される（ステップ３１３）。この後者の場合、ユーザは口述を終了しており、従って、サンプル入力が如何に少なくてもサンプルは記号形式に変換されなければならない。記号形式への変換の後、その記号形式データは適切なディジタル・イメージと関連付けられて大容量記憶装置２０７に記憶される（ステップ３１６）。
【００２６】
ステップ３０９において、ユーザが電源オフ動作を行ったことをコントロール・プログラムが判定した場合、処理はステップ３０９からＹｅｓの矢印方向へ進む。この時点でバッファに如何なる音声サンプルも残っていない場合、処理はステップ３１４からＹｅｓの矢印方向へ進み、サンプルが音声変換プログラム２０４によって分析されて記号形式に変換され（ステップ３１５）、その記号形式データが適切なディジタル・イメージと関連付けられて記憶装置２０７に記憶される（ステップ３１７）。いずれの場合も、その後、コントロール・プログラムはアイドル状態３０１に戻る。
【００２７】
ステップ３１６又は３１７を実行する場合、コントロール・プログラムは記憶装置２０７において記号形式データを特定のディジタル・イメージと関連づける。記号形式データが関連づけられるイメージは、口述された音声のレコーディングと実質的に同時期に取り込まれたイメージである。撮影者が口述している間にイメージが実際に取り込まれることはあり得るが、ディジタル・イメージの取り込み直前に又は直後に音声が取り込まれることもあり得る。カメラが特定の音声セグメントをディジタル・イメージと関連づけ得る方法はいくらでも存在する。通常、撮影者は、写真を撮る直前よりも直後にキャプションを口述することが多いものと仮定される。従って、望ましい実施例では、カメラは次のような優先順位に従って音声セグメントを関連づける：
１．ディジタル・イメージが音声セグメントのレコーディング中に取り込まれる場合、音声はそのディジタル・イメージと関連づけられる；
２．カメラがパワー・オンされた時から音声セグメントのレコーディングの終了までにディジタル・イメージが全く取り込まれず、しかも音声セグメントのレコーディング後であるが、カメラが電源オフにされる前に（即ち、同じパワー・オンのセッション中に）ディジタル・イメージが取り込まれた場合、音声セグメントはその音声セグメントのレコーディングの直後に取り込まれたディジタル・イメージと関連づけられる；
３．他のすべての場合、音声セグメントはその音声セグメントのレコーディングの直前に取り込まれたディジタル・イメージと関連づけられる。
【００２８】
しかし、ディジタル・イメージを音声セグメントと関連づけるための別の方法も存在することは明らかであろう。例えば、ユーザがディジタル・イメージのナンバーを１つ又は複数の機能ボタンで指定するように要求されることも可能である。
【００２９】
「関連づける（associate）」ということは、特定の音声セグメントが特定のディジタル・イメージを説明するということを決定することを可能にする或るレコードされた関係が記憶装置２０７に存在するということを意味する。すなわち、「関連づける」ということは、ある特定の音声セグメントが特定のディジタル・イメージを説明するものであるという関係を表すデータが記憶装置２０７に存在するということである。シンプルな形式としては、関連づけは、１つのフィールドがディジタル・イメージを含み、別のフィールドが音声セグメントの記号形式データを含む共通レコードとすることができる。また、ディジタル・イメージを含む記憶ロケーションに対するその記号音声セグメント内のポインタとすることもできる。あるいは音声セグメントと共にレコードされたイメージ番号とすることもできる。
【００３０】
記憶装置２０７におけるディジタル・データがイメージ出力を生成するためにコンピュータ・システム又は他の出力装置に転送される時、音声セグメントがディジタル写真によって識別され、適正な形でユーザにレンダされる。図４は、ディジタル・イメージを音声セグメントと共にレンダするためのコンピュータ・システムの主要なコンポーネント示す。一方、図５は、望ましい実施例に従って説明と共にイメージを取り込み且つレンダすることに関するステップの高レベル・フローチャートである。
【００３１】
図４に示されるように、コンピュータ・システム４００は、ＣＰＵ４０１、メイン・メモリ４０２、種々のデバイス・アダプタ及びインターフェース４０３−４０８、並びに通信バス４１０を含む。ＣＰＵ４０１は、メモリ４０２に記憶された命令を実行する汎用のプログラム可能プロセッサである。図４には単一のＣＰＵが示されているけれども、複数のＣＰＵを有するコンピュータ・システムが使用されてもよいことは勿論である。メモリ４０２は、データ及びプログラムを記憶するためのランダム・アクセス半導体メモリである。メモリは、単一のモノリシック・エンティティとして概念的に示されるが、キャッシュ及び他のメモリ装置の階層的に構成され得ることも勿論である。通信バス４１０は、種々の装置間におけるデータ、コマンド、及び他の情報の転送をサポートする。それは単一のバスとして簡単な形式で示されているけれども、マルチバスとして構成され得るし、階層的に構成され得る。ディスプレイ・アダプタ４０３はビデオ・ディスプレイ４１１をサポートする。そのビデオ・ディスプレイは一般的には陰極線管ディスプレイであるが、他のディスプレイ・テクノロジが使用されてもよい。キーボード／ポインタ・アダプタ４０４はキーボード４１２及びポインティング装置４１３をサポートする。そのポインティング装置はマウスとして示されているが、他の形式の入力装置が使用されてもよいことは勿論である。
【００３２】
ストレージ・アダプタ４０５は１つ又は複数のデータ記憶装置４１４をサポートする。そのデータ記憶装置は、一般に、回転式磁気ハード・ディスク・ドライブであるが、他のデータ記憶装置が使用されてもよい。プリンタ・アダプタ４０６はプリンタ４１５をサポートする。Ｉ／Ｏアダプタ４０７はカメラ１００と通信を行う特別のＩ／Ｏポート４１６をサポートする。ネットワーク・インターフェース４０８はコンピュータ・システムのネットワークに対する物理的インターフェースを提供する。例えば、ネットワーク・インターフェース４０８は、インターネットをアクセスするために使用される電話システムに接続するためのモデムであってもよいが、他のタイプのインターフェースが可能であることは勿論である。例えば、そのインターフェースは、サーバとして作用する単一の大型メインフレーム・コンピュータ又はローカル・エリア・ネットワークに複数のワークステーションを接続するために使用され得るメインフレーム・ターミナル・チャネル・インターフェースであってもよい。コンピュータ・システム４００は、一般には、「パーソナル・コンピュータ」として知られた種々のモデルのシングル・ユーザのコンピュータ・システムのうちのいずれかであろう。図４の表示は説明のために単純化された表示を意図しており、ここに示されたものに加えて、システム構成における多くの変更が可能であることは勿論である。更に、本発明に従ってディジタル・カメラ・イメージを受信し且つレンダするための装置はパーソナル・コンピュータ・システムである必要はなく、メインフレーム、ノートブック、又はラップトップ・コンピュータに接続された、いわゆるダム端末、イメージを印刷するための単一目的の特殊目的装置、或いは種々のハードウエア・バリエーションのうちのいずれかであってもよい。
【００３３】
図４に示されるように、メモリ４０２は、概念的には、オペレーティング・システム（ＯＳ）４２１、ディジタル・イメージ・フォーマット・プログラム、即ち、フォーマッタ４２２、音声翻訳プログラム４２３、及びバッファ４２４を含む。オペレーティング・システム４２１は、デバイス・インターフェース、メモリ・ページの管理、ウインドウ・インターフェースの管理、複数タスクの管理等のようなその分野において周知である種々の低レベル・ソフトウエア機能を提供する。オペレーティング・システム４２１は、例えば、マイクロソフト社のWindows（Ｒ）オペレーティング・システムであってもよいが、他のオペレーティング・システムが使用されてもよいことは勿論である。
【００３４】
図５は、カメラにおいてテキストともにイメージを取り込み、その後、テキストと共にイメージを変換するプロセス全体を高レベルで図示する。図５に示されるように、イメージがユーザの口述した説明と共に取り込まれ（ステップ５０１）、しかる後、ユーザの音声が記号形式に変換される（ステップ５０２）。これらのステップは、詳しくは、図３に示されている。ユーザが更なるイメージを取り込むことを望む場合（ステップ５０３）、ユーザがカメラからコンピュータまたは他の出力装置にデータをアップロードする準備を終わるまでこのプロセスが繰り返される。
【００３５】
ユーザの準備が終わると、データ（イメージ及び説明の記号形式データ）がカメラ１００からコンピュータ・システム４００にアップロードされる（ステップ５０４）。ディジタル・イメージ・フォーマット・プログラム４２２がカメラ・インターフェース４１６を通してディジタル・イメージを受け取り、それを一時的にバッファ４２４に記憶する。
【００３６】
ディジタル・イメージ・フォーマット・プログラム４２２は、カメラ１００からアップロードされた音声の中間的な記号形式データを自然言語テキストに翻訳するために音声翻訳プログラム４２３を呼び出す（ステップ５０５）。カメラ１００が音声を自然言語テキストに変換する完全な音声認識装置を含む場合、音声翻訳プログラム４２３が不要であることは明らかであろう。しかし、既に説明したように、多くの実施例では、カメラ１００から分離しているコンピュータ・システムにおいて複雑な語彙及びシンタックス分析を行うことが望ましいであろう。その場合、その動作ステップは音声翻訳プログラム４２３によって行われる。従って、音声翻訳プログラム４２３は大きな語彙リスト及びシンタックス分析のためのルールのセットを含み得る。
【００３７】
イメージ・フォーマット・プログラム４２２はイメージを目視に適した形式でフォーマットする。イメージ・フォーマット・プログラム４２２は、例えば、切り抜き、拡大／縮小、レッド・アイ削除、又は他の編集機能によってユーザがディジタル・イメージを編集することを可能にする編集能力を任意選択的に含んでもよい。何らかの任意選択的な編集が行われた後、イメージは翻訳された説明テキストと共に適切な出力様式となるようにフォーマットされる。例えば、プリンタ４１５を使用してディジタル写真が用紙上にプリントされるべき場合、キャプションがその翻訳された音声セグメントを使用して写真の縁部にプリントされてもよく、或いは写真自体の上に重ねられてもよく、或いは写真の裏にプリントされてもよい。別の方法として、各キャプションを写真と関連づける識別番号を持ったキャプション・テキストの個別シートがプリントされてもよい。更に別の方法として、イメージがコンピュータ・スクリーンで見られたり、説明テキストがイメージの端部に沿って表示されたり、或いは適切な機能を選択することによりユーザにとって入手可能になったりするように、そのディジタル・データがオンライン形式で保持されてもよい。一般に、フォーマットされたイメージ及び翻訳されたテキストは記憶装置４１４に記憶される。
【００３８】
ディジタル・イメージと関連付けられた説明テキストが単なる表示以外の目的で使用され得ることは明らかであろう。例えば、テキストは写真説明のオンライン・データベースにインポートされ、キー・ワード又は任意の種々の既知のサーチ技法を使用してサーチされ得る。
【００３９】
メモリ４０２には或る数のアプリケーション及び他のエンティティが示されているけども、これらが単に説明を目的として示されること及びそのようなエンティティの実際の数が変わり得ることは明らかであろう。更に、図４のソフトウエア・コンポーネントはメモリ４０２に存在するものとして概念的に示されているけれども、一般に、コンピュータ・システムのメモリは、全プログラム及びデータを保持するには小さすぎること、及び、一般に、情報は、回転磁気ディスク・ドライブのような１つ又は複数の大容量記憶装置から成るデータ記憶装置４１４に記憶されること、及びその情報は、必要に応じてオペレーティング・システムによってメモリにページングされるということも明らかであろう。
【００４０】
一般に、本発明の説明された実施例をインプリメントするために実行されるルーチンは、それがカメラ内にインプリメントされようが、或いはオペレーティング・システム又は特定のアプリケーション・プログラム、オブジェクト・モジュール、又は命令シーケンスの一部としてインプリメントされようが、本願では、「プログラム」又は「コンピュータ・プログラム」と呼ばれる。コンピュータ・プログラムは、一般に、本発明に適合した装置又はシステムにおける１つ又は複数のプロセッサによって読み取られそして実行される時、本発明の種々な局面を具体化するステップを実行するに必要なステップ或いは本発明の種々な局面を具体化する要素を生成するに必要なステップをそれらの装置又はシステムに実行させる命令から成る。更に、本発明を十分な機能を有するカメラ装置又はコンピュータ・システムと関連させて説明したが、本発明の種々な実施例は種々な形式のプログラム製品として供給可能であり、しかも本発明はその供給を実際に行うために使用される特定なタイプの信号保持媒体に関係なく等しく適用する。信号保持媒体の例は、揮発性及び不揮発性メモリ装置、フロッピ・ディスク、ハード・ディスク・ドライブ、ＣＤ−ＲＯＭ、ＤＶＤ、磁気テープのようなレコード可能なタイプの媒体、及び無線通信リンクを含むディジタル及びアナログ通信リンクのような伝送タイプの媒体を含むが、それらに限定されない。信号保持媒体の例は、図２においてメモリ２２として示され、図４においてメモリ４０２又はデータ記憶装置４１４として示される。
【００４１】
上記の説明では、本発明によるカメラが静止写真を撮ることを意味するように種々の用語及び図が使用された。本発明は、一般に、静止写真及びモーション・ビデオに適用可能であり、静止写真に限定されるように明白に述べられてない場合には静止写真に限定されるものと解されるべきではない。更に、本発明は、静止写真及びモーション・ビデオの両方を撮る機能を有する任意の種々のディジタル・カメラに適用可能である。
【００４２】
本発明の特定の実施例を幾つかの代替方法と共に開示したけれども、特許請求の範囲に記載された本発明の技術的範囲で形式及び細部における付加的変更が行われ得ることは当業者には明らかであろう。
【００４３】
まとめとして、本発明の構成に関して以下の事項を開示する。
【００４４】
（１）ディジタル・カメラその他の光学的イメージを取り込む機能を有する装置であって、
光学的イメージをディジタル的に取り込む光学的センサ手段と、
前記光学的センサ手段により取り込まれた光学的イメージを記憶する記憶媒体と、
音声をディジタル的に取り込む音声センサ手段と、
前記音声センサ手段により取り込まれた音声を記号形式に変換する音声変換手段と、
前記記号形式データを前記取り込まれた光学的イメージと関連付けて前記記憶媒体に記憶させるコントローラと、
を含む装置。
（２）前記コントローラが前記装置の動作を制御するためのコントロール・プログラムを実行するプログラム可能プロセッサを含む、上記（１）に記載の装置。
（３）前記音声変換手段は、前記プログラム可能プロセッサが実行可能な複数の命令であって、組み込み音声変換アルゴリズムである命令により実現される、上記（２）に記載の装置。
（４）前記音声変換手段が前記音声センサ手段により取り込まれた前記音声を音素の記号形式を含む中間記号形式に変換し、
前記中間記号形式が前記装置とは別の装置によって自然言語テキストに変換される、
上記（１）に記載の装置。
（５）ディジタル・カメラその他の光学的イメージを取り込む機能を有する装置で実行される方法であって、
前記装置の光学的センサ手段によって対象物の光学的イメージをディジタル的に取り込むステップと、
前記装置の音声センサ手段によって音声をディジタル的に取り込むステップと、  前記装置の前記音声センサ手段によって取り込まれた音声を記号形式に変換するステップと、
前記記号形式データを前記取り込まれた光学的イメージと関連付けて記憶するステップを含み、
前記音声を取り込むステップは、前記光学的イメージを取り込むステップと実質的に同時に実行される、
方法。
（６）前記音声を記号形式に変換するステップは、取り込まれた前記音声が音素の記号形式を含む中間記号形式に変換され、
前記中間記号形式が前記装置とは別の装置によって自然言語テキストに変換される、
上記（５）に記載の方法。
（７）前記音声を記号形式に変換するステップはプログラム可能プロセッサが音声変換プログラムを実行することにより実現される、上記（５）に記載の方法。
（８）前記プログラム可能プロセッサは、前記装置の動作を制御するためのコントロール・プログラムを実行し、
前記音声を記号形式に変換するステップは、前記コントロール・プログラムが他のタスクに占有されていない時に前記プログラム可能プロセッサによってバックグラウンドで実行される、
上記（７）に記載の方法。
（９）ディジタル・カメラその他の光学的イメージを取り込む機能を有する装置を制御するコンピュータ・プログラムであって、前記装置に、
前記装置の光学的センサ手段によって対象物の光学的イメージをディジタル的に取り込む手順と、
前記装置の音声センサ手段によって音声をディジタル的に取り込む手順と、
前記装置の前記音声センサ手段によって取り込まれた音声を記号形式に変換する手順と、
前記記号形式データを前記取り込まれた光学的イメージと関連付けて記憶する手順を含み、
前記音声を取り込む手順は、前記光学的イメージを取り込む手順と実質的に同時に実行される、
コンピュータ・プログラム。
（１０）前記音声を記号形式に変換する手順では、取り込まれた前記音声は音素の記号形式を含む中間記号形式に変換され、
前記中間記号形式が前記装置とは別の装置によって自然言語テキストに変換される、
上記（９）に記載のコンピュータ・プログラム。
（１１）ディジタル・カメラその他の光学的イメージを取り込む機能を有する第１の装置と、ディジタル・イメージをフォーマットする機能を有する第２の装置を使用して、ディジタル・イメージを持った情報をレコードする方法であって、前記第１の装置の光学的センサ手段によって対象物の光学的イメージをディジタル的に取り込むステップと、
前記第１の装置の音声センサ手段によって前記光学的イメージに対応する音声セグメントをディジタル的に取り込むステップと、
前記第１の装置の音声変換手段によって前記装置の前記音声センサ手段によって取り込まれた音声セグメントを記号形式セグメントに変換するステップと、
前記光学的イメージと前記記号形式セグメントを前記第２の装置にアップロードするステップと、
前記第２の装置によって前記光学的イメージ及び対応する前記記号形式セグメントをユーザによる目視のためにフォーマットするステップを含み、
前記記号形式セグメントは対応する前記光学的イメージと関連付けられて人間によって読み取り可能な形式で表示するためにフォーマットされる、
方法。
（１２）前記音声セグメントを記号形式セグメントに変換するステップでは、取り込まれた前記音声を音素の記号形式を含む中間記号形式に変換され、
前記フォーマットするステップでは、前記中間記号形式を自然言語テキストに変換される、
上記（１１）に記載の方法。
（１３）前記第２の装置は、ディジタル・イメージ・フォーマット・プログラムを実行する汎用ディジタル・コンピュータである、上記（１１）に記載の方法。
（１４）前記フォーマットするステップは、フォーマットされたテキストを対応するディジタル・イメージとともに用紙上に印刷するステップを含む、上記（１１）に記載の方法。
（１５）前記フォーマットするステップは、フォーマットされたテキストを対応するディジタル・イメージとともにディジタル装置の出力スクリーンに表示するステップを含む、上記（１１）に記載の方法。
（１６）ディジタル・イメージをフォーマットする機能を有する装置にディジタル・イメージを持った情報をレコードさせるコンピュータ・プログラムであって、前記ディジタル・イメージをフォーマットする機能を有する装置に、
（ａ）ディジタル・カメラその他の光学的イメージを取り込む機能を有する第１の装置からディジタル・イメージ及び前記第１の装置で取り込まれた音声セグメントを変換した記号形式セグメントを受け取る手順と、
（ｂ）前記ディジタル・イメージ及び前記記号形式セグメントをユーザによる目視のためにフォーマットする手順を実行させ、
前記記号形式セグメントは対応する前記ディジタル・イメージと関連付けられて人間によって読み取り可能な形式で表示するためにフォーマットされる、
コンピュータ・プログラム。
（１７）前記記号形式セグメントは音素の記号形式を含む中間記号形式で表現された音声を含み、
前記フォーマットする手順は、前記中間記号形式を自然言語テキストに変換する手順を含む、
上記（１６）に記載のコンピュータ・プログラム。
（１８）前記フォーマットする手順は、フォーマットされたテキストを対応するディジタル・イメージとともに用紙上に印刷する手順を含む、上記（１６）に記載のコンピュータ・プログラム。
（１９）前記フォーマットする手順は、フォーマットされたテキストを対応するディジタル・イメージとともにディジタル装置の出力スクリーンに表示する手順を含む、
上記（１６）に記載のコンピュータ・プログラム。
【図面の簡単な説明】
【図１】本発明の望ましい実施例によるディジタル・カメラの主要なコンポーネントを表す高レベルの断面図である。
【図２】本発明の望ましい実施例によるディジタル・カメラの主要な電子的コンポーネントを示す。
【図３】本発明の望ましい実施例によるカメラ制御プログラムの動作を示す高レベルのフローチャートである。
【図４】本発明の望ましい実施例に従って音声セグメントを持ったディジタル・イメージをレンダするためのコンピュータ・システムの主要なコンポーネントを示す。
【図５】本発明の望ましい実施例に従って説明テキストを持ったイメージを取り込み及びレンダすることに関連したステップの高レベルのフローチャートである。
【符号の説明】
１００  カメラ
１０１  ボディ
１０２  レンズ
１０３  光学的センサ・アレイ
１０５  マイクロフォン
１０６  透視チャネル
【図１】
0004113360.tif 000002
【図２】
0004113360.tif 000003
【図３】
0004113360.tif 000004
【図４】
0004113360.tif 000005
【図５】
0004113360.tif 000006